(57)【要約】【課題】落下などの衝撃が加えられた場合であっても高画質な撮影画像を取得することができる小型の撮影装置、および破損しにくい光学鏡胴を提供することを目的とする。【解決手段】  移動可能な構成部分を含んだ、被写体光が通過する、その被写体光を結像させる光学系と、光学系を収容し、光学系に含まれる移動可能な構成部分の移動を案内する光学鏡胴と、光学系の移動可能な構成部分を駆動する光学駆動部と、光学系によって結像される被写体光の像を撮影する撮像部と、光学系、光学鏡胴、光学駆動部、および撮像部が内部に収容された筐体と、光学鏡胴の、筐体内における位置を規定するとともに、光学鏡胴が受ける衝撃を吸収する緩衝材とを備えた。【選択図】        図４
2007034123.tif 000002
【特許請求の範囲】
【請求項１】
移動可能な構成部分を含んだ、被写体光が通過する、その被写体光を結像させる光学系と、
前記光学系を収容し、該光学系に含まれる移動可能な構成部分の移動を案内する光学鏡胴と、
前記光学系の移動可能な構成部分を駆動する光学駆動部と、
前記光学系によって結像される被写体光の像を撮影する撮像部と、
前記光学系、前記光学鏡胴、前記光学駆動部、および前記撮像部が内部に収容された筐体と、
前記光学鏡胴の、前記筐体内における位置を規定するとともに、該光学鏡胴が受ける衝撃を吸収する緩衝材とを備えたことを特徴とする撮影装置。
【請求項２】
前記光学系が、途中で屈曲した光軸を有し、前記構成部分として、該光軸が屈曲する位置と前記撮像部との間で該光軸に沿って移動可能な構成部分を備えたものであることを特徴とする請求項１記載の撮影装置。
【請求項３】
移動可能な構成部分を含んだ、被写体光が通過する、その被写体光を結像させる光学系を収容し、該構成部分の移動を案内する収容器と、
前記収容器に装着された、該収容器が受ける衝撃を吸収する緩衝材とを備えたことを特徴とする光学鏡胴。
【請求項４】
前記収容器は、被写体光が入射してくる開口部を有するものであり、
前記緩衝材は、少なくとも前記開口部の周囲に装着されたものであることを特徴とする請求項３記載の光学鏡胴。
【請求項５】
前記緩衝材は、前記収容器を間に挟んで複数装着されてなるものであることを特徴とする請求項３記載の光学鏡胴。
【請求項６】
前記収容器は、内面に凸部を有する本体筐体内に収容されるものであり、
前記緩衝材は、前記収容器の凸部が嵌入することにより前記本体筐体に対する前記収容器の位置を規定するものであることを特徴とする請求項３記載の光学鏡胴。
【発明の詳細な説明】
【技術分野】
【０００１】
本発明は、被写体光の像を撮影する撮影装置、および光学系を収容する光学鏡胴に関する。
【背景技術】
【０００２】
近年、デジタルカメラやデジタルビデオカメラなどの小型化が急速に進んでいる。小型の撮影装置は、見栄えが良いうえ、どこにでも嵩張らずに持ち運ぶことができ、いつでも手軽に撮影を行うことができるという利点がある。しかし、小型の撮影装置では、レンズやＣＣＤ（Ｃｈａｒｇｅ  Ｃｏｕｐｌｅ  Ｄｅｖｉｃｅ）等の大きさや、それらを収納するスペースが大幅に制限されるため、従来サイズの撮影装置と同様な構成や方法では、撮影機能や撮影画像の画質等を充実させることが困難である。
【０００３】
これらの点に関し、近年では、高画素の小型ＣＣＤや、これに対応した小型レンズなどが開発されてきており、小型の撮影装置でも、十分な画質の撮影画像を取得することができるようになってきている。残る課題である撮影機能の充実においては、デジタルカメラの分野ではすでに一般的な機能であるオートフォーカス機能に加えて、広角撮影や望遠撮影を実現するズーム機能が搭載されることが望まれている。
【０００４】
ズーム機能は、レンズ鏡胴内で複数のレンズが移動されて、それらのレンズ間の相対距離が調整されることによって実現される。通常は、レンズ鏡胴が撮影装置に沈胴されており、ズーム使用時には、レンズ鏡胴が撮影装置の前面から突出され、その突出されたレンズ鏡胴内で複数のレンズが光軸に沿って移動されることが一般的である。しかし、この方法では、レンズ鏡胴内に複数のレンズをカメラの厚み方向に光軸を揃えて並べる必要があるため、レンズ鏡胴が沈胴状態でもかなり長くなってしまい、撮影装置の厚さが増加してしまうという問題がある。撮影装置においては、高さ方向や幅方向の小型化よりも、特に薄型化が求められており、薄型を謳った撮影装置にはズーム機能を搭載することが困難であった。
【０００５】
この点に関し、特許文献１には、レンズ鏡胴を撮影装置の幅方向に寝かせて配置し、撮影装置に入射してきた被写体光をミラーなどで屈折させてレンズ鏡胴内に導く技術について記載されている。この特許文献１に記載された技術によると、撮影装置の厚さを、レンズ鏡胴に内蔵されたレンズの直径程度にまで軽減することができ、撮影装置の薄型化とズーム機能の実現とを両立することができる。
【特許文献１】特開２００４−２１９５１６号公報
【発明の開示】
【発明が解決しようとする課題】
【０００６】
ここで、小型のレンズやＣＣＤを使用し、さらに特許文献１に記載された技術を適用すると、撮影装置をかなりの薄さまで小型化することができる。しかし、小型の撮影装置はグリップ性が劣るために落としやすく、その衝撃によってレンズの位置がずれてしまいやすい。撮影装置に小型のレンズやＣＣＤが使用されている場合、従来サイズの撮影装置と比べて、レンズの位置ずれが撮影処理に大きく影響してしまうため、落下などの衝撃によって撮影画像の画質がかなり劣化してしまうという問題がある。
【０００７】
本発明は、上記事情に鑑み、落下などの衝撃が加えられた場合であっても高画質な撮影画像を取得することができる小型の撮影装置、およびそのような撮影装置に内蔵される光学鏡胴を提供することを目的とする。
【課題を解決するための手段】
【０００８】
上記目的を達成する本発明の撮影装置は、移動可能な構成部分を含んだ、被写体光が通過する、その被写体光を結像させる光学系と、
光学系を収容し、光学系に含まれる移動可能な構成部分の移動を案内する光学鏡胴と、
光学系の移動可能な構成部分を駆動する光学駆動部と、
光学系によって結像される被写体光の像を撮影する撮像部と、
光学系、光学鏡胴、光学駆動部、および撮像部が内部に収容された筐体と、
光学鏡胴の、筐体内における位置を規定するとともに、光学鏡胴が受ける衝撃を吸収する緩衝材とを備えたことを特徴とする。
【０００９】
本発明の撮影装置によると、光学系が光学鏡胴内に収容されるとともに、その光学鏡胴が緩衝材を介して筐体に固定される。このため、撮影装置が落下されたときなどの衝撃が緩衝材に吸収され、光学鏡胴の、筐体内における位置が維持されて、光学系の位置ずれが回避される。したがって、本発明の撮影装置によると、光学系が安定して高精度に駆動され、高画質な撮影画像が取得される。
【００１０】
また、本発明の撮影装置において、上記光学系が、途中で屈曲した光軸を有し、構成部分として、光軸が屈曲する位置と撮像部との間で光軸に沿って移動可能な構成部分を備えたものであることが好適である。
【００１１】
途中で屈曲した光軸を有する光学系を適用することによって、ズーム機能などを薄型の撮影装置にも搭載することができるが、薄型の撮影装置は落としやすく、さらに光学系の位置ずれの影響を受けやすい。本発明の好適な形態の撮影装置によると、落下などの衝撃が加えられても光学系の位置が正しい位置に維持されるため、ズーム機能などを安定的に実現することができる。
【００１２】
また、上記目的を達成する本発明の光学鏡胴は、移動可能な構成部分を含んだ、被写体光が通過する、その被写体光を結像させる光学系を収容し、構成部分の移動を案内する収容器と、
収容器に装着された、収容器が受ける衝撃を吸収する緩衝材とを備えたことを特徴とする。
【００１３】
本発明の光学鏡胴によると、緩衝材によって収容器が受ける衝撃が吸収され、収容器に収容された光学系の破損が軽減される。
【００１４】
また、本発明の光学鏡胴において、上記収容器は、被写体光が入射してくる開口部を有するものであり、
緩衝材は、少なくとも開口部の周囲に装着されたものであることが好ましい。
【００１５】
開口部の周囲に緩衝材が装着されることによって、収容器に収容された光学系の破損が効率よく回避される。
【００１６】
また、本発明の光学鏡胴において、上記緩衝材は、収容器を間に挟んで複数装着されてなるものであることが好ましい。
【００１７】
収容器が緩衝材に挟まれることによって、この光学鏡胴が収容される本体筐体と光学鏡胴との間の隙間が埋められて、光学鏡胴の位置が規定されるとともに、光学鏡胴にかかる衝撃が確実に吸収される。
【００１８】
また、本発明の光学鏡胴において、上記収容器は、内面に凸部を有する本体筐体内に収容されるものであり、
緩衝材は、収容器の凸部が嵌入することにより本体筐体に対する収容器の位置を規定するものであることが好適である。
【００１９】
本発明の好適な形態の光学鏡胴によると、本体筐体に対する光学鏡胴の位置が確実に規定されるとともに、光学鏡胴に収容された光学系の破損が軽減される。
【発明の効果】
【００２０】
本発明によれば、落下などの衝撃が加えられた場合であっても高画質な撮影画像を取得することができる小型の撮影装置、破損しにくい光学鏡胴を提供することができる。
【発明を実施するための最良の形態】
【００２１】
以下、図面を参照して本発明の実施の形態を説明する。
【００２２】
図１は、本発明の一実施形態が適用されたデジタルカメラを前面斜め上から見た外観斜視図である。
【００２３】
図１に示すように、このデジタルカメラ１００の前面には、複数のレンズで構成された撮影レンズ１０１のうちの前方レンズ（後述する）、撮影画角を確認するために撮影者が覗く光学式ファインダ対物窓１０２、および閃光を発光する閃光発光部１０３が備えられている。さらに、このデジタルカメラ１００の上面には、スライド式の電源スイッチ１０４、およびレリーズスイッチ１５０が備えられている。
【００２４】
図２は、撮影レンズ１０１の概略構成図である。
【００２５】
図２は、デジタルカメラ１００を右側面から見たときの図であり、図２の左側から被写体光が入射するものとして説明する。
【００２６】
撮影レンズ１０１は、デジタルカメラ１００の前面に配置された前方レンズ１０１１と、複数のレンズが前方レンズ１０１１の光軸と垂直に下方向に並べて配置された後方レンズ群１０１２と、被写体光を反射するミラー１０１３とで構成されている。前方レンズ１０１１を通過してきた被写体光は、ミラー１０１３によって反射されて後方レンズ群１０１２に導かれ、ＣＣＤ１１１上に結像される。
【００２７】
図２に示す撮影レンズ１０１、ミラー１０１３、およびＣＣＤ１１１等は、後述するレンズ鏡胴内に配置されており、後方レンズ群１０１２を構成する複数のレンズがレンズ鏡胴内で上下方向に移動されることによって、被写体に自動的に焦点を合わせるオートフォーカス機能や、広角撮影や望遠撮影を行うズーム機能が実現される。後方レンズ群１０１２は、本発明にいう「移動可能な構成部分」の一例にあたり、前方レンズ１０１１、後方レンズ群１０１２、およびミラー１０１３で構成される撮影レンズ１０１は、本発明にいう光学系の一例に相当する。また、ＣＣＤ１１１は、本発明にいう撮像部の一例に相当する。
【００２８】
続いて、デジタルカメラ１００の内部構成について説明する。
【００２９】
図３は、図１に示すデジタルカメラ１００の概略構成図である。
【００３０】
図３に示すように、デジタルカメラ１００には、撮影光学系１１０と、信号処理部１２０とが備えられている。デジタルカメラ１００には、それらのほかにも、撮影した画像を表示させるための画像表示部１４０、撮影した画像信号を記録しておくための外部記録媒体２００、撮影のための各種処理をデジタルカメラ１００に行なわせる、ズームスイッチ１７０、撮影モードスイッチ１６０、レリーズスイッチ１５０、および絞り切替スイッチ１８０などが設けられている。
【００３１】
まず、図３を参照して、撮影光学系１１０の構成を説明する。
【００３２】
本実施形態においては、撮影光学系１１０を構成する各種要素は、後述するレンズ鏡胴内に収容されている。
【００３３】
デジタルカメラ１００では、図２にも示す前方レンズ１０１１に被写体光が入射し、さらに、その被写体光がミラー１０１３で反射されて後方レンズ群１０１２に入射する。後方レンズ群１０１２を経た被写体光は、光量を調整する絞り１１３を通過した後、シャッタ１１２が開いている場合は、後段に配置されたＣＣＤ１１１上に結像する。ここで、本来、後方レンズ群には複数のレンズが配備され、それら複数のレンズのうち少なくとも１つのレンズがピント調節に大きく関与し、各レンズの相対位置が焦点距離に関与するが、本明細書では、焦点距離の変化に係わるレンズをズームレンズと称し、ピントの調節に係わるレンズをフォーカスレンズと称している。
【００３４】
後方レンズ群１０１２、絞り１１３、およびシャッタ１１２は、レンズ駆動部１０１ａ、絞り駆動部１１３ａ、およびシャッタ駆動部１１２ａによりそれぞれ駆動され移動する。これらレンズ駆動部１０１ａ、絞り駆動部１１３ａ、およびシャッタ駆動部１１２ａを作動させる指示は、信号処理部１２０中のシステムコントローラ１２１からモータドライバ１２０ｃを通じて伝達される。レンズ駆動部１０１ａは、本発明にいう光学駆動部の一例に相当する。
【００３５】
後方レンズ群１０１２を構成する複数のレンズは、レンズ駆動部１０１ａによって、デジタルカメラ１００の上下方向に移動される。ズームレンズが、システムコントローラ１２１からの信号に応じた位置に移動されることによって、焦点距離が変化して撮影倍率が決定される。また、フォーカスレンズは、ＴＴＬＡＦ（Ｔｈｒｏｕｇｈ  Ｔｈｅ  Ｌｅｎｓ  Ａｕｔｏ  Ｆｏｃｕｓ）機能を実現するためのレンズである。このＴＴＬＡＦ機能とは、フォーカスレンズを移動させながら、ＣＣＤ１１１で得られた画像信号のコントラストを信号処理部１２０のＡＦ／ＡＥ演算部１２６で検出し、そのコントラストのピークが得られるレンズ位置をピント位置として、フォーカスレンズをピント位置に調節するものである。このＴＴＬＡＦ機能によって、コントラストがピークになる被写体に自動的に焦点を合わせて撮影を行うことができる。
【００３６】
絞り１１３は、絞り径を変化させることによって、ＣＣＤ１１１で受光される被写体光の光量を調整するものである。
【００３７】
撮影レンズ１０１、絞り１１３、およびシャッタ１１２を通過してきた被写体光はＣＣＤ１１１上で結像され、ＣＣＤ１１１において、被写体像を表わす画像信号が生成される。
【００３８】
続いて信号処理部１２０の構成を説明する。
【００３９】
ＣＣＤ１１１上に結像させた被写体像が画像信号としてアナログ処理（Ａ／Ｄ）部１２０ａに読み出され、このアナログ処理（Ａ／Ｄ）部１２０ａでアナログ信号がデジタル信号に変換されデジタル信号処理部１２０ｂへと供給される。デジタル信号処理部１２０ｂにはシステムコントローラ１２１が配備されており、システムコントローラ１２１からの指示によって、図２に示す各種要素で実行される処理が制御される。システムコントローラ１２１、画像信号処理部１２２、画像表示制御部１２３、画像圧縮部１２４、メディアコントローラ１２５、ＡＦ／ＡＥ演算部１２６、キーコントローラ１２７、およびバッファメモリ１２８との間のデータの受け渡しはバス１２００を介して行なわれ、そのバス１２００を介してデータの受け渡しが行なわれるときのバッファとして内部メモリ１２９が働いている。この内部メモリ１２９に各部の処理プロセスの進行状況に応じて変数となるデータが随時書き込まれて、システムコントローラ１２１、および画像信号処理部１２２、画像表示制御部１２３、画像圧縮部１２４、メディアコントローラ１２５、ＡＦ／ＡＥ演算部１２６、キーコントローラ１２７の各部では、そのデータを参照することにより適切な処理が行なわれる。つまり、システムコントローラ１２１からの指示がバス１２００を介して上記の各部に伝えられ、各部の処理プロセスが立ち上げられる。そして、その内部メモリ１２９のデータがプロセスの進行状況に応じて書き換えられ、さらにシステムコントローラ１２１側で参照されて上記の各部の動作が管理される。言い換えれば、電源が投入され、システムコントローラ１２１内のプログラムの手順にしたがって各部のプロセスが立ち上げられる。例えば、レリーズスイッチ１５０、ズームスイッチ、撮影モードスイッチ１６０、および絞り切替スイッチ１８０が操作されると、その操作されたという情報がキーコントローラ１２７を経由してシステムコントローラ１２１に伝えられ、その操作に応じた処理がシステムコントローラ１２１内のプログラムの手順にしたがって行われる。
【００４０】
レリーズ操作が行われると、ＣＣＤ１１１から読み出された画像データは、アナログ処理（Ａ／Ｄ）部１２０ａでアナログ信号からデジタル信号に変換され、このデジタル化された画像データがデジタル信号処理部１２０ｂ内のバッファメモリ１２８にいったん蓄えられる。このデジタル化された画像データのＲＧＢ信号が画像信号処理部１２２でＹＣ信号に変換され、さらに画像圧縮部１２４でＪＰＥＧ圧縮と呼ばれる圧縮が行なわれて画像信号が画像ファイルとなってメディアコントローラ１２５を介して外部記録媒体２００に記録される。この画像ファイルとして記録された画像データは、画像表示制御部１２３を通じて画像表示部１４０において再生される。この処理の際、ＡＦ／ＡＥ演算部１２６では、ピント調節のためにＲＧＢ信号から被写体距離ごとにコントラストを検出することが行なわれる。この検出結果に基づいて、撮影レンズ１０１内のフォーカスレンズによってピント調整が行われる。またＡＦ／ＡＥ演算部１２６ではＲＧＢ信号から輝度信号が抽出され、そこから被写界輝度が検出される。
【００４１】
デジタルカメラ１００は、基本的には以上のように構成されている。
【００４２】
ここで、本実施形態のデジタルカメラ１００は、小型であるために通常サイズのデジタルカメラなどと比べて持ちにくく、落としてしまいやすい。しかし、デジタルカメラ１００では、図３に示す撮影光学系１１０を構成する各種要素がレンズ鏡胴内に収容されており、さらに、レンズ鏡胴がデジタルカメラ１００の筐体に緩衝材を介して位置決めされることによって、衝撃などによるレンズの位置ずれが回避されている。以下では、レンズ鏡胴と筐体との位置関係について詳しく説明する。
【００４３】
図４は、レンズ鏡胴の概略構成図である。
【００４４】
レンズ鏡胴３００は、図２に示す撮影レンズ１０１を構成する要素が分かれて収容された上部分３３０および下部分３２０と、それら上部分３１０と下部分３２０とを繋ぐ連結部分３３０とで構成されている。被写体光は、前方レンズ１０１１から入射して、上部分３３０および下部分３２０の内部に導かれる。レンズ鏡胴３００の前方レンズ１０１１が配備された部分は、本発明にいう開口部の一例にあたり、レンズ鏡胴３００は、本発明にいう光学鏡胴の一例に相当する。
【００４５】
まず、レンズ鏡胴３００内に収容された撮影レンズ１０１について説明する。
【００４６】
図５は、レンズ鏡胴３００の、撮影レンズ１０１が収容された部分の透視図である。
【００４７】
図５に示すように、前方レンズ１０１１は、レンズ鏡胴３００の上部分３１０の前面に固定されている。また、上部分３１０および下部分３２０の内部には、円筒状に刳り貫かれた空間が設けられており、それらの空間に、複数の後方レンズ１０１２＿１，１０１２＿２，…，１０１２＿９，…で構成された後方レンズ群１０１２が収容されている。後方レンズ群１０１２に含まれるフォーカスレンズやズームレンズは、その円筒状の空間にガイドされて移動する。
【００４８】
前方レンズ１０１１を通過してきた被写体光は、ミラー１０１３によって反射されて後方レンズ群１０１２に導かれる。図３に示すレンズ駆動部１０１ａは、システムコントローラ１２１からの指示を受けると、後方レンズ群１０１２を構成する各レンズを図５の上下方向に移動させる。後方レンズ群１０１２を構成する各レンズそれぞれの位置が調整されることによって、上述したオートフォーカス機能やズーム機能が実現される。
【００４９】
図４に戻って説明する。
【００５０】
レンズ鏡胴３００の上部分３１０および下部分３２０の外面には、凹部３１１，３２１が設けられており、これら凹部３１１，３２１に、カメラ筐体に設けられた凸部（後述する）が嵌合されることによって、レンズ鏡胴３００がカメラ筐体に装着される。尚、レンズ鏡胴３００がカメラ筐体に装着されるときには、レンズ鏡胴３００とカメラ筐体との間に、それらの間の隙間を埋める緩衝シート４１１，４１２が挟まれ、さらに、上部分３１０および下部分３２０の凹部３１１，３２１とカメラ筐体の凸部との間にも、それら凹部３１１，３２１と凸部との隙間を埋める緩衝部材４２１，４２２が嵌め込まれる。緩衝シート４１１，４１２、および緩衝部材４２１，４２２は、ゴムなどといった衝撃吸収材で構成されている。緩衝シート４１１，４１２、および緩衝部材４２１，４２２は、本発明にいう緩衝材の一例に相当する。
【００５１】
図６は、レンズ鏡胴３００が装着されたデジタルカメラ１００を前面から見た透視図であり、図７は、レンズ鏡胴３００が装着されたデジタルカメラ１００を側面から見た透視図である。
【００５２】
図６に示すように、レンズ鏡胴３００は、カメラ筐体５００内に、前方レンズ１０１１を上にして縦に装着される。図７に示すように、カメラ筐体５００には、２つの凸部５１０，５２０が設けられており、それら凸部５１０，５２０が、レンズ鏡胴３００の上部分３１０および下部分３２０の凹部３１１，３２１それぞれに嵌合されている。これら凸部５１０，５２０は、本発明にいう凸部の一例に相当する。さらに、凸部５１０，５２０と凹部３１１，３２１それぞれの隙間には、緩衝部材４２１，４２２が嵌め込まれている。これら緩衝部材４２１，４２２によって、レンズ鏡胴３００が、カメラ筐体５００に対して図６のＸ方向（幅方向）およびＹ方向（高さ方向）に位置決めされる。カメラ筐体５００は、本発明にいう本体筐体の一例にあたる。
【００５３】
また、レンズ鏡胴３００とカメラ筐体５００との間の隙間ｄ１、ｄ２には、緩衝シート４１１，４１２がそれぞれに挟み込まれる。これら緩衝シート４１１，４１２によって、レンズ鏡胴３００が、カメラ筐体５００に対して図６のＺ方向（厚さ方向）に位置決めされる。
【００５４】
デジタルカメラ１００に落下などによる衝撃が加わると、その衝撃は緩衝シート４１１，４１２や緩衝部材４２１，４２２によって吸収され、レンズ鏡胴３００には伝わりにくい。さらに、レンズ鏡胴３００は、緩衝シート４１１，４１２や緩衝部材４２１，４２２によって、カメラ筐体５００に対してしっかりと位置決めされており、レンズ鏡胴３００の位置ずれが回避される。このように、本実施形態のデジタルカメラ１００によると、落下の衝撃が加わっても、高画質な撮影画像を取得することができる。
【００５５】
ここで、上記では、本発明にいう屈曲部材の一例としてミラーが示されているが、本発明にいう屈曲部材はプリズムなどでもよい。
【００５６】
また、上記では、被写体光を屈曲してレンズ鏡胴内に導き、レンズ鏡胴内で複数のレンズを移動させてズーム機能を実現する例について説明したが、本発明の撮影装置は、例えば、レンズを光軸に沿う方向に移動させて被写体に焦点を合わせるオートフォーカス機能のみ搭載されたものであってもよい。
【００５７】
また、上記では、本発明の撮影装置をデジタルカメラに適用する例について説明したが、本発明の撮影装置は、例えば、携帯電話や、フィルムに被写体光を結像する銀塩カメラなどに適用してもよい。
【図面の簡単な説明】
【００５８】
【図１】本発明の一実施形態が適用されたデジタルカメラを前面斜め上から見た外観斜視図である。
【図２】撮影レンズ１０１の概略構成図である。
【図３】図１に示すデジタルカメラ１００の概略構成図である。
【図４】レンズ鏡胴の概略構成図である。
【図５】レンズ鏡胴３００の、撮影レンズ１０１が収容された部分の透視図である。
【図６】レンズ鏡胴３００が装着されたデジタルカメラ１００を前面から見た透視図である。
【図７】レンズ鏡胴３００が装着されたデジタルカメラ１００を側面から見た透視図である。
【符号の説明】
【００５９】
１００    デジタルカメラ
１１０    撮影光学系
１０１    撮影レンズ
１０１１    前方レンズ
１０１２    後方レンズ群
１０１３    ミラー
１０１ａ    レンズ駆動部
１０７    カメラ筐体
１１１    ＣＣＤ
１１２    シャッタ
１１２ａ    シャッタ駆動部
１１３    絞り
１１３ａ    絞り駆動部
１２０    信号処理部
１２０ａ    Ａ／Ｄ部
１２０ｂ    デジタル信号処理部
１２１    システムコントローラ
１２２    画像信号処理部
１２３    画像表示制御部
１２４    画像圧縮部
１２５    メディアコントローラ
１２６    ＡＦ／ＡＥ演算部
１２７    キーコントローラ
１２８    バッファメモリ
１２９    内部メモリ
１２００    バス
１４０    画像表示部
１５０    レリーズスイッチ
１６０    撮影モードスイッチ
１７０    ズームスイッチ
１８０    絞り切替スイッチ
２００    外部記録媒体
３００    レンズ鏡胴
３１０    上部分
３１１，３１２    凹部
３２０    下部分
３３０    連結部分
４１１，４１２    緩衝シート
４２１，４２２    緩衝部材
【図１】
2007034123.tif 000003
【図２】
2007034123.tif 000004
【図３】
2007034123.tif 000005
【図４】
2007034123.tif 000006
【図５】
2007034123.tif 000007
【図６】
2007034123.tif 000008
【図７】
2007034123.tif 000009